(57)【要約】【課題】効率良く乗員を加熱又は冷却する。【解決手段】シートベルト装置１０では、シート１６の配置位置とシートベルト２４の引出量とから乗員１８の体格や体型が判断されて、シートベルト２４及び追加シートベルト４２のどの部位が乗員１８のどの部位に接触するかが判断されることで、乗員１８の所定部位に接触するシートベルト２４及び追加シートベルト４２の部位が加熱部４０にされて、乗員１８の所定部位が加熱される。このため、シートベルト２４及び追加シートベルト４２の加熱部４０を短くでき、効率良く乗員１８を加熱できる。【選択図】図１
2008037326.tif 000002
【特許請求の範囲】
【請求項１】
車両の乗員に装着可能にされたシートベルトと、
前記シートベルトの長手方向中間部分の長手方向一部に設けられ、乗員に対し加熱及び冷却の少なくとも一方を可能にされた調温部と、
を備えたシートベルト装置。
【請求項２】
前記シートベルトにおける前記調温部の位置を調整する調整手段を備えた、ことを特徴とする請求項１記載のシートベルト装置。
【請求項３】
前記シートベルトを引き出し可能にされた引出手段と、
前記シートベルトの引出量を検出し、検出した前記シートベルトの引出量に基づき前記調整手段が前記シートベルトにおける前記調温部の位置を調整する検出手段と、
を備えたことを特徴とする請求項２記載のシートベルト装置。
【請求項４】
車両のシートの位置を乗員毎に記憶可能にされた記憶手段と、
前記記憶手段に基づき前記シートの位置を調整し、調整した前記シートの位置に基づき前記調整手段が前記シートベルトにおける前記調温部の位置を調整するシート調整手段と、
を備えたことを特徴とする請求項２又は請求項３記載のシートベルト装置。
【請求項５】
車両の乗員に装着可能にされたシートベルトと、
前記シートベルトを支持可能にされた支持部と、
前記支持部に取り付けられ、乗員に装着可能にされた取付シートベルトと、
前記取付シートベルトに設けられ、乗員に対し加熱及び冷却の少なくとも一方を可能にされた調温部と、
を備えたシートベルト装置。
【請求項６】
車両の乗員に装着可能にされたシートベルトと、
前記シートベルトに着脱可能に設けられ、乗員に装着可能にされた着脱シートベルトと、
前記着脱シートベルトに設けられ、乗員に対し加熱及び冷却の少なくとも一方を可能にされた調温部と、
を備えたシートベルト装置。
【発明の詳細な説明】
【技術分野】
【０００１】
本発明は、車両の乗員にシートベルトが装着されるシートベルト装置に関する。
【背景技術】
【０００２】
シートベルト装置としては、シートベルト（ベルト部）に長手方向に沿ってダクト又はチューブが設けられて、ダクト又はチューブを介して温度調節された空気又は熱媒体が流されることで、乗員を暖めたり冷やしたりするものがある（例えば、特許文献１参照）。
【０００３】
しかしながら、このシートベルト装置では、シートベルト（ベルト部）の一端部を除く長手方向全体に、ダクト又はチューブが設けられて、温度調節された空気又は熱媒体が流される。このため、シートベルト（ベルト部）の乗員に接触していない部分にも温度調節された空気又は熱媒体が流されるため、エネルギー効率が低い。
【特許文献１】特開２００５−２１９７００公報
【発明の開示】
【発明が解決しようとする課題】
【０００４】
本発明は、上記事実を考慮し、乗員を効率良く加熱又は冷却できるシートベルト装置を得ることが目的である。
【課題を解決するための手段】
【０００５】
請求項１に記載のシートベルト装置は、車両の乗員に装着可能にされたシートベルトと、前記シートベルトの長手方向中間部分の長手方向一部に設けられ、乗員に対し加熱及び冷却の少なくとも一方を可能にされた調温部と、を備えている。
【０００６】
請求項２に記載のシートベルト装置は、請求項１に記載のシートベルト装置において、前記シートベルトにおける前記調温部の位置を調整する調整手段を備えた、ことを特徴としている。
【０００７】
請求項３に記載のシートベルト装置は、請求項２に記載のシートベルト装置において、前記シートベルトを引き出し可能にされた引出手段と、前記シートベルトの引出量を検出し、検出した前記シートベルトの引出量に基づき前記調整手段が前記シートベルトにおける前記調温部の位置を調整する検出手段と、を備えたことを特徴としている。
【０００８】
請求項４に記載のシートベルト装置は、請求項２又は請求項３に記載のシートベルト装置において、車両のシートの位置を乗員毎に記憶可能にされた記憶手段と、前記記憶手段に基づき前記シートの位置を調整し、調整した前記シートの位置に基づき前記調整手段が前記シートベルトにおける前記調温部の位置を調整するシート調整手段と、を備えたことを特徴としている。
【０００９】
請求項５に記載のシートベルト装置は、車両の乗員に装着可能にされたシートベルトと、前記シートベルトを支持可能にされた支持部と、前記支持部に取り付けられ、乗員に装着可能にされた取付シートベルトと、前記取付シートベルトに設けられ、乗員に対し加熱及び冷却の少なくとも一方を可能にされた調温部と、を備えている。
【００１０】
請求項６に記載のシートベルト装置は、車両の乗員に装着可能にされたシートベルトと、前記シートベルトに着脱可能に設けられ、乗員に装着可能にされた着脱シートベルトと、前記着脱シートベルトに設けられ、乗員に対し加熱及び冷却の少なくとも一方を可能にされた調温部と、を備えている。
【発明の効果】
【００１１】
請求項１に記載のシートベルト装置では、車両の乗員にシートベルトが装着可能にされており、シートベルトに設けられる調温部が、乗員に対し加熱及び冷却の少なくとも一方を可能にされている。
【００１２】
ここで、調温部がシートベルトの長手方向中間部分の長手方向一部に設けられる。このため、シートベルトの乗員に接触していない部分に調温部が配置されることを抑制でき、乗員を効率良く加熱又は冷却することができる。
【００１３】
請求項２に記載のシートベルト装置では、調整手段がシートベルトにおける調温部の位置を調整する。このため、シートベルトの乗員に接触している部分に調温部を適切に配置することができる。
【００１４】
請求項３に記載のシートベルト装置では、引出手段からシートベルトを引き出し可能にされており、検出手段がシートベルトの引出量を検出する。さらに、検出手段が検出したシートベルトの引出量に基づき、調整手段がシートベルトにおける調温部の位置を調整する。このため、容易にシートベルトの乗員に接触している部分に調温部を配置することができる。
【００１５】
請求項４に記載のシートベルト装置では、車両のシートの位置を記憶手段が乗員毎に記憶可能にされており、記憶手段に基づきシート調整手段がシートの位置を調整する。さらに、シート調整手段が調整したシートの位置に基づき、調整手段がシートベルトにおける調温部の位置を調整する。このため、容易にシートベルトの乗員に接触している部分に調温部を配置することができる。
【００１６】
請求項５に記載のシートベルト装置では、支持部がシートベルトを車体側に支持可能にされており、車両の乗員にシートベルトが装着可能にされている。
【００１７】
ここで、取付シートベルトが支持部に取り付けられて乗員に装着可能にされると共に、取付シートベルトに設けられる調温部が、乗員に対し加熱及び冷却の少なくとも一方を可能にされている。このため、取付シートベルトの調温部を短くすることができ、乗員を効率良く加熱又は冷却することができる。
【００１８】
請求項６に記載のシートベルト装置では、車両の乗員にシートベルトが装着可能にされている。
【００１９】
ここで、着脱シートベルトがシートベルトに着脱可能に設けられて乗員に装着可能にされており、着脱シートベルトに設けられる調温部が、乗員に対し加熱及び冷却の少なくとも一方を可能にされている。このため、着脱シートベルトの調温部を短くすることができ、乗員を効率良く加熱又は冷却することができる。
【発明を実施するための最良の形態】
【００２０】
［第１の実施の形態］
図１には、本発明の第１の実施の形態に係るシートベルト装置１０が適用されて構成された車両１２の主要部が車両前斜め左方から見た斜視図にて示されている。なお、図面では、車両前方を矢印ＦＲで示し、車幅方向外方（車両右方）を矢印ＯＵＴで示し、上方を矢印ＵＰで示す。
【００２１】
本実施の形態における車両１２は、車室１４内にシート１６（例えば車室１４の車両前側かつ車両右側に配置される運転席又は助手席）が設けられており、シート１６には乗員１８が着座している。シート１６は、シートクッション１６Ａとシートバック１６Ｂとを有しており、シートクッション１６Ａは、シート１６の下端部で水平に配置されると共に、シートバック１６Ｂは、シートクッション１６Ａの車両後側端から上側に起立されている。また、シート１６の配置位置（車両前後方向の位置、車幅方向位置、上下方向高さ、及び、シートクッション１６Ａに対するシートバック１６Ｂの起立角度（傾斜角度）の少なくとも１つ）は、調整可能にされている。
【００２２】
シート１６は、調整手段、記憶手段及びシート調整手段としての制御装置２０に接続されており、制御装置２０には、操作手段としての操作部２２が接続されている。シート１６の配置位置が調整された際には、操作部２２がシート位置記憶操作（第１操作）されることで、制御装置２０が、シート１６の配置位置を記憶可能にされている。これにより、その後、操作部２２が配置操作（第２操作）されることで、制御装置２０が、シート１６を当該記憶した配置位置に配置させる。また、制御装置２０は、シート１６の配置位置を乗員１８毎に複数記憶可能にされており、制御装置２０は、シート１６を乗員１８毎の複数の配置位置に配置可能にされている。
【００２３】
乗員１８は、シートベルト２４（ウエビング）を装着しており、シートベルト２４の基端側は、引出手段としての巻取装置２６（リトラクタ）に巻き取られている。巻取装置２６は、シート１６の車両後側端の車幅方向外側かつ下側における車室１４の側壁内（例えばピラー内）に固定されており、巻取装置２６はシートベルト２４を基端側（巻取方向）へ付勢している。巻取装置２６には、検出手段としての検出センサ２８が接続されており、検出センサ２８は巻取装置２６からのシートベルト２４の引出量を検出可能にされている。
【００２４】
シートベルト２４は、支持部としてのショルダアンカ３０に移動可能に挿通されており、ショルダアンカ３０は、シート１６の車両後側端の車幅方向外側かつ上側における車室１４の側壁（例えばピラー）に係止されている。また、シートベルト２４は巻取装置２６とショルダアンカ３０との間において車室１４の側壁内から車室１４内に延出されており、ショルダアンカ３０は車室１４内に配置されている。
【００２５】
シートベルト２４の先端には、先端支持部としてのアウタアンカ３２が固定されており、アウタアンカ３２は、シートベルト２４の先端を、シート１６の車両後側端の車幅方向外側かつ下側における車室１４の側壁（例えばロッカ）に係止している。
【００２６】
シートベルト２４は、ショルダアンカ３０とアウタアンカ３２との間において、下支持部としてのタング３４に移動可能に挿通されており、タング３４は、中間支持部としてのインナアンカ３６（バックル）に離脱可能に装着されている。インナアンカ３６は、シート１６の車両後側端の車幅方向内側かつ下側における車室１４の床板に係止されている。
【００２７】
以上により、シートベルト２４は、ショルダアンカ３０に支持された部分とタング３４に支持された部分との間において、乗員１８の車幅方向外側の肩部から車幅方向内側の腹部（腰部）に斜めに装着されると共に、タング３４に支持された部分とアウタアンカ３２に支持された部分との間において、乗員１８の腹部（腰部）に車幅方向内側から車幅方向外側に亘って横方向に装着されている。
【００２８】
シートベルト２４内には、発熱部材３８（例えば電熱線）が収容されており（埋め込まれており）、発熱部材３８は、シートベルト２４の長手方向全体（乗員１８に装着されたシートベルト２４の通常ショルダアンカ３０に支持される部位よりも先端側のみでもよい）に配置されている。発熱部材３８は、制御装置２０に接続されており、制御装置２０は、発熱部材３８の所定の範囲を発熱させて発熱部材３８の発熱部分におけるシートベルト２４を調温部としての加熱部４０にすると共に、発熱部材３８の発熱させる範囲（シートベルト２４における加熱部４０の位置）を調整可能にされている。
【００２９】
乗員１８は、着脱シートベルトとしての追加シートベルト４２（ウエビング）を装着可能にされており、追加シートベルト４２の基端側は、追加引出手段としての追加巻取装置４４（リトラクタ）に巻き取られている。追加巻取装置４４は、シート１６のシートバック１６Ｂの車幅方向内側部分内に固定されており、追加巻取装置４４は追加シートベルト４２を基端側（巻取方向）へ付勢している。
【００３０】
追加シートベルト４２は、上支持部としてのアッパアンカ４６に移動可能に挿通されており、アッパアンカ４６は、シートバック１６Ｂの車幅方向内側部分の上部に係止されている。追加シートベルト４２はアッパアンカ４６挿通位置においてシートバック１６Ｂ内から車室１４内に延出されており、アッパアンカ４６は、シートバック１６Ｂの上面に配置されている。また、追加シートベルト４２の先端はアッパアンカ４６を通過できない構成にされている。
【００３１】
追加シートベルト４２の先端には、着脱手段としての着脱部４８（例えば面ファスナ）が固定されており、着脱部４８が、追加シートベルト４２の先端を、シートベルト２４のショルダアンカ３０に支持された部分とタング３４に支持された部分との中間部分（特に乗員１８の腹部の左右方向中央の上部に接触する部分）に離脱可能に装着している。なお、追加シートベルト４２の先端には着脱部４８によってシートベルト２４の何れの部位にも着脱可能にされている。
【００３２】
以上により、追加シートベルト４２は、アッパアンカ４６に支持された部分と着脱部４８が固定された部分との間において、乗員１８の車幅方向内側の肩部から腹部の左右方向中央の上部に斜めに装着されている。
【００３３】
追加シートベルト４２内には、発熱部材３８が収容されており（埋め込まれており）、発熱部材３８は、追加シートベルト４２の長手方向全体（乗員１８に装着された追加シートベルト４２の通常アッパアンカ４６に支持される部位よりも先端側のみでもよい）に配置されている。発熱部材３８は、制御装置２０に接続されており、制御装置２０は、発熱部材３８の所定の範囲を発熱させて発熱部材３８の発熱部分における追加シートベルト４２を加熱部４０にすると共に、発熱部材３８の発熱させる範囲（追加シートベルト４２における加熱部４０の位置）を調整可能にされている。
【００３４】
上記操作部２２は、設定選択操作（第３操作）可能にされており、操作部２２が予め設定された所定設定に設定選択操作されることで、当該所定設定が定める乗員１８の部位に接触するシートベルト２４及び追加シートベルト４２の長手方向部位（範囲）が制御装置２０の制御による発熱部材３８の発熱によって加熱部４０にされて、当該所定設定が定める乗員１８の部位を加熱（暖め）可能にされている。例えば、操作部２２が所定設定としての疲労回復設定に設定選択操作された際には、図１乃至図３に示す如く、加熱部４０が乗員１８の肩部（胸部を含んでもよい）及び腹部を加熱可能になり、操作部２２が所定設定としての選択設定（例えば肩部選択設定又は腹部選択設定）に設定選択操作された際には、加熱部４０が当該選択設定が定める乗員１８の部位（肩部選択設定の場合は肩部（胸部を含んでもよい）、腹部選択設定の場合は腹部）を加熱可能になり、操作部２２が所定設定としての全体設定に設定選択操作された際には、加熱部４０が乗員１８のシートベルト２４及び追加シートベルト４２に接触する部位全体を加熱可能になる。
【００３５】
次に、本実施の形態の作用を説明する。
【００３６】
以上の構成のシートベルト装置１０では、操作部２２が配置操作されることで、制御装置２０によってシート１６が操作部２２のシート位置記憶操作により記憶された配置位置に配置されている。また、シートベルト２４が、巻取装置２６から引き出されて、乗員１８の車幅方向外側の肩部から車幅方向内側の腹部に斜めに装着されると共に、乗員１８の腹部に車幅方向内側から車幅方向外側に亘って横方向に装着されている。さらに、追加シートベルト４２が、追加巻取装置４４から引き出されて、乗員１８の車幅方向内側の肩部から腹部の左右方向中央の上部に斜めに装着されている。
【００３７】
また、巻取装置２６からのシートベルト２４の引出量を検出センサ２８が検出し、制御装置２０がシート１６の配置位置と当該シートベルト２４の引出量とから乗員１８の体格や体型を判断することで、シートベルト２４及び追加シートベルト４２のどの部位が乗員１８のどの部位に接触（密着）するかを制御装置２０が自動で判断する。
【００３８】
これにより、操作部２２が所定設定に設定選択操作された際には、所定設定が定める乗員１８の部位（例えば肩部、腹部）に接触する（装着される）シートベルト２４及び追加シートベルト４２の長手方向部位が制御装置２０の制御による発熱部材３８の発熱によって加熱部４０にされることで、所定設定が定める乗員１８の部位が加熱される。
【００３９】
ここで、上述の如く、所定設定が定める乗員１８の部位に接触するシートベルト２４及び追加シートベルト４２の長手方向部位が加熱部４０にされて、シートベルト２４及び追加シートベルト４２の加熱部４０が短くされる。このため、シートベルト２４及び追加シートベルト４２の乗員１８に接触していない部位に加熱部４０が配置されることを抑制できて、エネルギー効率を高くでき、効率良く乗員１８を加熱して乗員１８の快適感を高めることができる。
【００４０】
さらに、上述の如く、制御装置２０が、シート１６の配置位置とシートベルト２４の引出量とから乗員１８の体格や体型を判断して、シートベルト２４及び追加シートベルト４２のどの部位が乗員１８のどの部位に接触するかを判断することで、シートベルト２４及び追加シートベルト４２の長手方向における加熱部４０の位置（発熱部材３８の発熱部位及び乗員１８の加熱部位）を調整する。このため、適切かつ容易に所定設定が定める乗員１８の部位を加熱することができる。
【００４１】
また、シートベルト２４及び追加シートベルト４２の加熱部４０が乗員１８の左右両側の肩部を加熱可能にされている。このため、乗員１８の左右両側の肩部をバランスよく加熱することができる。
【００４２】
さらに、追加シートベルト４２によって乗員１８が車幅方向内側の肩部を加熱しない際には、追加シートベルト４２を追加巻取装置４４に巻き取らせてシートバック１６Ｂ内に収容することで、追加シートベルト４２が車両１２の運転を妨げることを防止できる。一方、追加シートベルト４２によって乗員１８が車幅方向内側の肩部を加熱する際には、追加シートベルト４２を追加巻取装置４４から乗員１８の体格や体型に対応した長さだけ引き出すことで、乗員１８の体格や体型に拘らず追加シートベルト４２を長さ調整して使用することができる。
【００４３】
［第２の実施の形態］
図４には、本発明の第２の実施の形態に係るシートベルト装置７０が適用されて構成された車両１２の主要部が車両前斜め左方から見た斜視図にて示されている。
【００４４】
本実施の形態に係るシートベルト装置７０は、上記第１の実施の形態と、ほぼ同様の構成であるが、以下の点で異なる。
【００４５】
本実施の形態に係るシートベルト装置７０では、ショルダアンカ３０が車室１４の側壁に位置（特に高さ）を調整可能に係止されている。
【００４６】
ショルダアンカ３０には、取付シートベルトとしての固定シートベルト７２（ウエビング）の一端（上端）が固定されており、固定シートベルト７２の他端（上端）は、シートベルト２４のショルダアンカ３０より先端側に移動可能に取り付けられている。また、固定シートベルト７２は、シートベルト２４の乗員１８側に配置されている。
【００４７】
固定シートベルト７２内には、発熱部材３８が収容されており（埋め込まれており）、発熱部材３８は、固定シートベルト７２の所定の長手方向位置（乗員１８の肩部（胸部を含んでもよい）に接触する位置）に配置されている。発熱部材３８は、制御装置２０（図１参照）に接続されており、制御装置２０は、発熱部材３８の全体を発熱させて発熱部材３８の収容部分における固定シートベルト７２を加熱部４０にして、乗員１８の肩部（胸部を含んでもよい）を加熱可能にされている。
【００４８】
ところで、乗員１８の肩部が加熱される際には、乗員１８の肩部に装着されるシートベルト２４の部位内の発熱部材３８は発熱されずに、固定シートベルト７２内の発熱部材３８の全体が発熱されて、固定シートベルト７２の加熱部４０によって乗員１８の肩部が加熱される。
【００４９】
また、ショルダアンカ３０は、乗員１８の体格や体型に対応して、位置を調整される。このため、乗員１８の体格や体型に拘らず、固定シートベルト７２の加熱部４０（発熱部材３８の収容部分）が、常に乗員１８の肩部に接触する。
【００５０】
これにより、本実施の形態でも、上記第１の実施の形態と同様の作用及び効果を奏することができる。
【００５１】
なお、本実施の形態では、固定シートベルト７２の一端をショルダアンカ３０に固定すると共に、固定シートベルト７２の他端をシートベルト２４に移動可能に取り付けた構成としたが、固定シートベルト７２の一端をタング３４又はアウタアンカ３２に固定すると共に、固定シートベルト７２の他端をシートベルト２４に移動可能に取り付けた構成としてもよい。
【００５２】
また、上記第１の実施の形態及び第２の実施の形態では、巻取装置２６、ショルダアンカ３０、アウタアンカ３２及びインナアンカ３６を車体側に係止した構成としたが、巻取装置２６、ショルダアンカ３０、アウタアンカ３２及びインナアンカ３６をシート１６に係止した構成としてもよい。この場合、制御装置２０が、巻取装置２６からのシートベルト２４の引出量のみから乗員１８の体格や体型を判断して、シートベルト２４及び追加シートベルト４２のどの部位が乗員１８のどの部位に接触（密着）するかを自動で判断する。
【００５３】
さらに、上記第１の実施の形態及び第２の実施の形態において、操作部２２が位置調整操作（第４操作）されることでシートベルト２４及び追加シートベルト４２における加熱部４０の位置が調整可能にされた構成や、操作部２２が位置記憶操作（第５操作）されることでシートベルト２４及び追加シートベルト４２における加熱部４０の位置を制御装置２０が記憶する構成にしてもよい。この場合、例えば、操作部２２が位置調整操作されて調整されたシートベルト２４及び追加シートベルト４２における加熱部４０の位置を、操作部２２が位置記憶操作されて制御装置２０が記憶する。この際、制御装置２０が、当該加熱部４０の位置を、操作部２２のシート位置記憶操作により記憶されたシート１６の配置位置と関連させて記憶する。その後、操作部２２が配置操作されて制御装置２０によって当該シート１６の配置位置に配置される際には、シートベルト２４及び追加シートベルト４２における加熱部４０の位置を、制御装置２０が当該シート１６の配置位置に関連させて記憶した加熱部４０の位置に調整する。これにより、乗員１８毎（シート１６の配置位置毎）にシートベルト２４及び追加シートベルト４２における加熱部４０の位置を記憶でき、容易にシートベルト２４及び追加シートベルト４２における加熱部４０の位置を調整することができる。
【００５４】
また、上記第１の実施の形態及び第２の実施の形態では、制御装置２０が追加シートベルト４２の加熱部４０の位置を調整可能にした構成としたが、制御装置２０が追加シートベルト４２の加熱部４０の位置を調整不能にした構成としてもよい。この場合、例えば、一般に乗員１８の腹部の左右方向中央の上部に接触するシートベルト２４の部分に先端が装着される際における追加シートベルト４２の先端近傍の部位とアッパアンカ４６に支持される部位の先端側近傍との間の部位に、追加シートベルト４２の加熱部４０を配置することで、乗員１８の体格や体型に拘らず、常に追加シートベルト４２の加熱部４０が乗員１８の車幅方向内側の肩部に接触することができる。
【００５５】
さらに、上記第１の実施の形態及び第２の実施の形態では、追加シートベルト４２が乗員１８の車幅方向内側の肩部から腹部の左右方向中央の上部に斜めに装着される構成としたが、追加シートベルト４２が乗員１８の他の部位に装着される構成としてもよい。例えば、追加シートベルト４２が乗員１８の腹部の車幅方向外側の下部から腹部の左右方向中央の上部に斜めに装着される構成としてもよい。
【００５６】
また、上記第１の実施の形態及び第２の実施の形態では、シートベルト２４、追加シートベルト４２及び固定シートベルト７２の内部に発熱部材３８を収容してシートベルト２４の加熱部４０が乗員１８を加熱可能にした構成としたが、シートベルト２４、追加シートベルト４２又は固定シートベルト７２の内部に冷却部材（例えばペルチェ素子）を収容してシートベルト２４の調温部としての冷却部（冷却部材による冷却部分）が乗員１８を冷却可能にした構成としてもよい。
【図面の簡単な説明】
【００５７】
【図１】本発明の第１の実施の形態における車両においてシートに中柄の乗員が着座した状態を示す車両前斜め左方から見た斜視図である。
【図２】本発明の第１の実施の形態における車両においてシートに大柄の乗員が着座した状態を示す車両前斜め左方から見た斜視図である。
【図３】本発明の第１の実施の形態における車両においてシートに小柄の乗員が着座した状態を示す車両前斜め左方から見た斜視図である。
【図４】本発明の第２の実施の形態における車両においてシートに中柄の乗員が着座した状態を示す車両前斜め左方から見た斜視図である。
【符号の説明】
【００５８】
１０    シートベルト装置
１２    車両
１８    乗員
２０    制御装置（調整手段、記憶手段、シート調整手段）
２４    シートベルト
２６    巻取装置（引出手段）
２８    検出センサ（検出手段）
３０    ショルダアンカ（支持部）
４０    加熱部（調温部）
４２    追加シートベルト（着脱シートベルト）
７０    シートベルト装置
７２    固定シートベルト（取付シートベルト）
【図１】
2008037326.tif 000003
【図２】
2008037326.tif 000004
【図３】
2008037326.tif 000005
【図４】
2008037326.tif 000006